(57)【要約】【課題】  吊り戸の開放状態の下では、何も、床面から上方に突出することのない収納式ガイド装置の提供。【解決手段】  天井側に走行可能に吊り下げられ且つその下端面に走行溝を形成した吊り戸のガイド装置であって、床面Ｆに穿設された取付孔１６に挿入固定される外筒１と、該外筒１の内側に嵌合固定される内筒２と、該内筒２の内側に昇降可能に配される昇降筒３と、該昇降筒３を上方へ弾性付勢するスプリング４とを備え、上記内筒２と昇降筒３との間に、昇降筒３をスプリング４の付勢力に抗して内筒２内に収納してその上端面が床面Ｆと面一となる下降位置に解除可能にロックする第一ロック手段９・１３と、昇降筒３をスプリング４の付勢力でその上部が床面Ｆから突出して上記走行溝内に挿入される上昇位置に解除可能にロックする第二ロック手段１０・１３とを設けることを特徴とする。【選択図】  図７
2010275696.tif 000002
【特許請求の範囲】
【請求項１】
天井側に走行可能に吊り下げられ且つその下端面に走行溝を形成した吊り戸のガイド装置であって、床面に穿設された取付孔に挿入固定される外筒と、該外筒の内側に嵌合固定される内筒と、該内筒の内側に昇降可能に配される昇降筒と、該昇降筒を上方へ弾性付勢するスプリングとを備え、上記内筒と昇降筒との間に、昇降筒をスプリングの付勢力に抗して内筒内に収納してその上端面が床面と面一となる下降位置に解除可能にロックする第一ロック手段と、昇降筒をスプリングの付勢力でその上部が床面から突出して上記走行溝内に挿入される上昇位置に解除可能にロックする第二ロック手段とを設けたことを特徴とする吊り戸の収納式ガイド装置。
【請求項２】
昇降筒の上部に走行溝の側面に沿って滑動するガイドローラーを付設したことを特徴とする請求項１記載の吊り戸の収納式ガイド装置。
【請求項３】
昇降筒の上部形状を走行溝内を移動できるガイドピン状となしたことを特徴とする請求項１記載の吊り戸の収納式ガイド装置。
【請求項４】
昇降筒の上端面に第一・第二ロック手段のロック及びロック解除を行う操作溝を形成したことを特徴とする請求項１乃至請求項３のいずれかに記載の吊り戸の収納式ガイド装置。
【発明の詳細な説明】
【技術分野】
【０００１】
本発明は、例えば、連装引戸・スライドドア・収納式間仕切りパネル等の吊り戸の下部で使用されて、特に、各種の吊り戸の下部側の振れを防止しながらその移動を案内する収納式ガイド装置に関するものである。
【背景技術】
【０００２】
上記したような吊り戸の下では、通常は、その円滑な開閉移動を案内するため、吊り戸の上部を天井側に設けられた上レールとランナーを介して走行自在に吊り下げられる一方、同下部も床面側に設けられる下レールとピボットを介して走行自在に支持して、吊り戸の開閉走行時に、吊り戸自体が大きく振れることを防止して、吊り戸のスムーズな移動を保障する構造となっている。（例えば、特許文献１参照）。
【０００３】
しかし、床面側にも下レールを連続して敷設することは、必然的に、床面に溝が画成されてしまうので、吊り戸が開放されている時には、このレールによる溝に躓いたり、或いは、ハイヒールのヒールが落ち込んでしまうと共に、外観上の見栄えも決して好ましいとは言えなかった。
【０００４】
そこで、この下レールの代わりに、吊り戸の下端面に凹状の走行溝を連続して形成し、床面側に該走行溝内を滑動するガイドローラーを立設して、これにより、吊り戸の下部における移動を案内するガイド装置が提案されている（例えば、特許文献２参照）。
【先行技術文献】
【特許文献】
【０００５】
【特許文献１】実開昭６０−１３７０８４号公報
【特許文献２】実開昭６２−７９０７５号公報
【発明の概要】
【発明が解決しようとする課題】
【０００６】
しかし、吊り戸の下部をガイドローラーで走行自在に案内することは、下レールのように、ハイヒールのヒールが落ち込む恐れはないが、今度は、ガイドローラー自体が床面から大きく立ち上がってしまうので、やはり、躓いて転んだり或いは外観上の見栄えも悪かった。そこで、このガイドローラーを床面に着脱可能に取り付けて、吊り戸が開放状態にある時には、ガイドローラーを床面から取り外すことが考えられるが、この場合には、いちいちガイドローラーを取り外して保管しなければならないので、極めて作業が面倒となって、現実的なものとは言えなかった。
【課題を解決するための手段】
【０００７】
本発明は、斯かる従来のガイド装置が抱える課題を有効に解決するために開発されたもので、請求項１記載の発明は、天井側に走行可能に吊り下げられ且つその下端面に走行溝を形成した吊り戸のガイド装置であって、床面に穿設された取付孔に挿入固定される外筒と、該外筒の内側に嵌合固定される内筒と、該内筒の内側に昇降可能に配される昇降筒と、該昇降筒を上方へ弾性付勢するスプリングとを備え、上記内筒と昇降筒との間に、昇降筒をスプリングの付勢力に抗して内筒内に収納してその上端面が床面と面一となる下降位置に解除可能にロックする第一ロック手段と、昇降筒をスプリングの付勢力でその上部が床面から突出して上記走行溝内に挿入される上昇位置に解除可能にロックする第二ロック手段とを設けたことを特徴とする。
【０００８】
請求項２記載の発明は、請求項１を前提として、昇降筒の上部に走行溝の側面に沿って滑動するガイドローラーを付設したことを特徴とする。
【０００９】
請求項３記載の発明は、請求項１を前提として、昇降筒の上部形状を走行溝内を移動できるガイドピン状となしたことを特徴とする。
【００１０】
請求項４記載の発明は、請求項１乃至請求項３を前提として、昇降筒の上端面に第一・第二ロック手段のロック及びロック解除を行う操作溝を形成したことを特徴とする。
【発明の効果】
【００１１】
依って、請求項１記載の発明にあっては、吊り戸を開放した時に、昇降筒をスプリングの付勢力に抗して内筒内に収納すると、昇降筒の上端面が床面と面一となって、その下降位置に第一ロック手段を介してロックされて、装置自体が完全に床面内に隠れてしまうので、従来のように、躓いて転んだり或いは外観上の見栄えが害される恐れがなくなる。又、吊り戸を開閉する時には、昇降筒の収納ロック状態を解除すれば、昇降筒の上部がスプリングの付勢力で内筒から上方に突出してその上昇位置に第二ロック手段を介してロックされるので、走行溝内に挿入された昇降筒の上部で、吊り戸の走行を確実に案内できる。
【００１２】
請求項２記載の発明にあっては、昇降筒の上部にガイドローラーを付設したので、ガイドローラーは吊り戸の走行溝の側面に沿って滑動して、特に、吊り戸の下部側の円滑な走行を保障できる。
【００１３】
請求項３記載の発明にあっては、昇降筒の上部形状がガイドピン状となっているので、やはり、吊り戸の下部側の円滑な走行が期待できる。
【００１４】
請求項４記載の発明にあっては、昇降筒の上端面に第一・第二ロック手段のロック及びロック解除を行う操作溝を形成しているので、昇降筒をその下降位置と上昇位置とで容易にロック及びロック解除することが可能となる。
【図面の簡単な説明】
【００１５】
【図１】本発明の実施例に係る収納式ガイド装置を示す分解斜視図である。
【図２】外筒の縦断面図ある。
【図３】（Ａ）は内筒の正面図、（Ｂ）は同側面図である。
【図４】昇降筒の縦断面図である。
【図５】（Ａ）は支持軸の平面図、（Ｂ）は同縦断面図である。
【図６】吊り戸の下部側形状を示す要部斜視図である。
【図７】ガイド装置自体が床面の内部に隠れた状態を示す縦断面図である。
【図８】ガイド装置自体が上方に突出して吊り戸の開閉移動を案内する状態を示す縦断面図である。
【発明を実施するための形態】
【００１６】
本発明は、天井側に走行可能に吊り下げられ且つその下端面に走行溝を形成した吊り戸のガイド装置を前提として、床面に穿設された取付孔に挿入固定される外筒と、該外筒の内側に嵌合固定される内筒と、該内筒の内側に昇降可能に配される昇降筒と、該昇降筒を上方へ弾性付勢するスプリングとを備え、上記内筒と昇降筒との間に、昇降筒をスプリングの付勢力に抗して内筒内に収納してその上端面が床面と面一となる下降位置に解除可能にロックする第一ロック手段と、昇降筒をスプリングの付勢力でその上部が床面から突出して上記走行溝内に挿入される上昇位置に解除可能にロックする第二ロック手段とを設けることにより、吊り戸を開放した場合には、ガイド装置自体が床面内に隠れてしまうので、従来のように、躓いて転んだり、外観上の見栄えが害される心配がなくなると共に、床面から取り外して、保管する必要も全くなくなる。
【実施例】
【００１７】
以下、本発明を図示する好適な実施例に基づいて詳述すれば、該実施例に係る収納式ガイド装置は、特に、各種吊り戸の下部側の走行を円滑に案内するものとして開発されたもので、その具体的な構造は、図１に示す如く、床面Ｆに穿設された取付孔１６に挿入固定される外筒１と、該外筒１の内側に嵌合固定される内筒２と、該内筒２の内側に昇降可能に配される昇降筒３と、該昇降筒３を常時上方へ付勢する圧縮コイル状のスプリング４と、後述する吊り戸Ｄの下端面に形成された走行溝１５を滑動するガイドローラー５と、該ガイドローラー５を昇降筒３の上部に回転可能に取り付ける支持軸６と、上記外筒１の下部開口を閉塞する蓋板７とを備えるものである。
【００１８】
そこで、これらを具体的に説明すると、まず、外筒１は、図２にも示す如く、その下部外周面に縦断面が鋸歯状となった係止面８を形成して、該係止面８が上記床面Ｆの取付孔１６の内周面に係止することにより、取付孔１６内に挿入された外筒１の抜け外れを防止する構成となっている。又、外筒１の高さに関しては、床面に穿設された取付孔１６の中に完全に挿入された状態で、その上端開口縁が床面Ｆと面一状態となる寸法が付与されている。
【００１９】
又、内筒２は、完全なる円筒状に成形されて、図３にも示す如く、その側壁の９０°置きに、後述する昇降筒３に突設された一対のストッパー突起１３を係合する高さの異なる短スリット９と長スリット１０を２個づつ交互に軸方向に形成して、対の関係となる短・長スリット９・１０同士を連結スリット１１を介して連通させる構成となっている。
【００２０】
昇降筒３は、図４にも示す如く、上端開口の内周縁にスプリング４の受け座を形成する円環状の内向フランジ１２を形成する一方、下部の外周面に対向する一対のストッパー突起１３を突設する構成となっている。従って、当該昇降筒３が内筒２内に昇降可能に配されて、各ストッパー突起１３が上記内筒２の短スリット９の端縁と係合すると、昇降筒３は、ガイドローラー５と支持軸６を伴って完全に収納された下降位置にロックされ、逆に、各ストッパー突起１３が内筒２の長スリット１０の端縁に係合すると、昇降筒３は、ガイドローラー５と支持軸６を伴って内筒２から突出した上昇位置にロックされることとなるので、ここでは、短スリット９とストッパー突起１３とが第一ロック手段となり、長スリット１０とストッパー突起１３とが第二ロック手段を構成することとなる。
【００２１】
支持軸６は、図５にも示す如く、円盤状頭部６ａと先端面が円錐状に窪んだ脚部６ｂとからなり、当該脚部６ｂの先端をポンチを介してカシメて拡開することにより、昇降筒３の上端開口縁に接合させて、円盤状頭部６ａと共同して、上記ガイドローラー５を昇降筒３に回転可能に取り付けると共に、上記円盤状頭部６ａの中央部に、上記第一ロック手段と第二ロック手段の操作溝１４を形成する構成となっている。従って、昇降筒３の上端面とは、実質的には、この支持軸６の円盤状頭部６ａが該当する。
【００２２】
外筒１の下部開口を閉塞する蓋板７は、外筒１の内側にスプリング４と昇降筒３と内筒２を収納保持するものであるが、外筒１の下部開口を閉塞した状態では、スプリング４の端部の受け座も兼用する構成となっている。
【００２３】
又、吊り戸Ｄに関しては、従来と同様に、天井側に上レール（図示せず）とランナー（図示せず）を介して走行自在に吊り下げられるものであるが、その下部側に対しては、図６に示す如く、下端面の長手方向に凹状の走行溝１５を連続して形成して、該走行溝１５の側面を上記昇降筒３の上部に取り付けられたガイドローラー５を滑動させることにより、吊り戸Ｄの開閉移動を案内できる構造が付与されている。
【００２４】
従って、斯かるガイド装置を組み立てる場合には、内筒２の各ストッパー突起１３と昇降筒３の短スリット９又は長スリット１０を合致させながら、内筒２を外側から昇降筒３に外嵌すると、内筒２に対して昇降筒３が昇降可能に配されることとなるので、後は、スプリング４を昇降筒３の内向フランジ１２と蓋板７の間にセットしながら、そのまま、内筒２を外筒１の内側に挿入固定すると、装置自体が簡単に組み立てられる。この結果、昇降筒３は、スプリング４の付勢力で上方に押し上げられることとなる。
【００２５】
依って、実際の使用に際しては、床面Ｆに穿設された取付孔１６に外筒１を挿入して、該外筒１を取付孔１６内にその係止面８を介して固定すれば、これにより、使用に供されることとなるが、この場合、昇降筒３側のストッパー突起１３がスプリング４の付勢力に抗して内筒２側の短スリット９の端縁と係合していると、図７に示す如く、昇降筒３は、ガイドローラー５と支持軸６を伴ってその下降位置にロックされて、昇降筒３の上端面を形成する支持軸６の円盤状頭部６ａが床面Ｆと面一となるので、本実施例にあっては、従来と異なり、昇降筒３は勿論のこと、ガイドローラー５や支持軸６の円盤状頭部６ａが内筒２内に収納されて上方に突出することが全くなくなる。この為、吊り戸Ｄが開放状態にあっても、従来のように、躓いて転んだりすることがなくなると共に、外観上の見栄えが害されることも解消できる。
【００２６】
逆に、吊り戸Ｄを開閉する場合には、支持軸６の円盤状頭部６ａに形成された操作溝１４にコインかマイナスドライバーの先端を差し込んで、所定方向に９０°回転させると、これに伴い、昇降筒３の回転を得て、各短スリット９の端縁に係合している一対のストッパー突起１３が、連結スリット１１を経て対応する各長スリット１０内に移行することとなるが、今度は、スプリング４の付勢力で、一対のストッパー突起１３が長スリット１０の端縁に係合して、昇降筒３を上昇位置にロックするので、図８に示す如く、ガイドローラー５と支持軸６を伴って、昇降筒３が取付孔１６から上方に突出することとなる。この為、後は、ガイドローラー５が吊り戸Ｄの走行溝１５内に進入して、その側面で滑動することとなるので、吊り戸Ｄの開閉移動が案内されて、吊り戸Ｄの下部側の振れが有効に防止できることとなると共に、吊り戸の閉塞時に、吊り戸Ｄの揺れ倒れも有効に防止できる。
【００２７】
又、この上昇位置でのロック状態から下降位置に変更する場合には、昇降筒３をスプリング４の付勢力に抗して内筒２内に強制的に押し込みながら、同様に、支持軸６側の操作溝１４にコインかマイナスドライバーの先端を差し込んで、逆方向に９０°回転させると、長スリット１０の端縁に係合している各ストッパー突起１３が、今度は、連結スリット１１を経て短スリット９の端縁に係合ロックするので、これにより、再度、ガイド装置自体を床面Ｆの内部に隠すことが可能となる。
【００２８】
尚、上記した実施例の下では、昇降筒３の上部側にガイドローラー５を取り付けて、走行溝１５の側面を滑動させることにより、吊り戸Ｄの走行を案内する構成を採用したものであるが、本発明は、これに限定されるものではなく、具体的には図示しないが、ガイドローラー５や支持軸６を省略して、昇降筒３の上部を走行溝１５内を移動できる通常のガイドピン形状となしても、同様な効果が得られることは言うまでもない。
【産業上の利用可能性】
【００２９】
本発明に係る収納式ガイド装置は、吊り戸の開放状態の下では、床面から上方に突出することが全くなくなるので、従来のように、躓いて転んだり、外観上の見栄えも害することがなくなる結果、これを連装引戸・スライドドア・収納式間仕切りパネル等に応用すれば、頗る好都合なものとなる。
【符号の説明】
【００３０】
１    外筒
２    内筒
３    昇降筒
４    スプリング
５    ガイドローラー
６    支持軸
６ａ  円盤状頭部
６ｂ  脚部
７    蓋板
８    係止面
９    短スリット
１０  長スリット
１１  連結スリット
１２  内向フランジ
１３  ストッパー突起
１４  操作溝
１５  走行溝
１６  取付孔
Ｄ    吊り戸
Ｆ    床面
【図１】
2010275696.tif 000003
【図２】
2010275696.tif 000004
【図３】
2010275696.tif 000005
【図４】
2010275696.tif 000006
【図５】
2010275696.tif 000007
【図６】
2010275696.tif 000008
【図７】
2010275696.tif 000009
【図８】
2010275696.tif 000010